(57)【要約】【課題】周波数特性を高速で切り換えることができ、その周波数特性の切り換え時に出力のオフセット変動がなＧｍ−Ｃフィルタの提供。【解決手段】マスターフィルタ５１は、Ｇｍアンプと容量回路を含み、基準信号に応じてマスターフィルタ５１が所望の周波数特性となるように、Ｇｍ値設定電流と容量値設定信号とを求め、その求めたものを自己のＧｍアンプと容量回路にそれぞれ設定する。スレーブフィルタ５２は、マスターフィルタ５１と同様に、Ｇｍアンプ容量回路とを含み、上記のＧｍ値設定電流Ｉを自己のＧｍアンプに設定し、デコーダ回路５３で算出された容量値設定信号Ｓ２を自己の容量回路に設定する。デコーダ回路５３は、容量値設定信号Ｓ１に基づき、スレーブフィルタ５２の容量回路の容量値を設定するための所定の容量値設定信号Ｓ２を算出し、その容量値設定信号Ｓ２をその容量回路に供給する。【選択図】　図１
2004104243.tif 000002
【特許請求の範囲】
【請求項１】
第１のＧｍアンプと、第１の容量回路とを有するとともに、入力される基準信号に応じて所望の周波数特性を持つように前記第１のＧｍアンプに設定すべきＧｍ値と前記第１の容量回路に設定すべき容量値とをそれぞれ求めるマスターフィルタと、
前記第１のＧｍアンプと同様の第２のＧｍアンプと、前記第１の容量回路と同様の第２の容量回路とを有し、本来のフィルタとして機能するスレーブフィルタと、
前記マスターフィルタで求めた容量値に基づき、前記第２の容量回路に設定すべきの所定の容量値を求めるデコーダ回路とを備え、
前記第２のＧｍアンプは、前記マスターフィルタで求めたＧｍ値となるように構成され、前記第２の容量回路は、前記デコーダ回路で求めた所定の容量値になるように構成されていることを特徴とするＧｍ−Ｃフィルタ。
【請求項２】
前記デコーダ回路は、前記マスターフィルタで求めた容量値に基づいて所定の容量値を求める際に、前記マスターフィルタの遮断周波数と前記スレーブフィルタの遮断周波数とが任意の比になるような容量値を求めるようにしたことを特徴とする請求項１に記載のＧｍ−Ｃフィルタ。
【請求項３】
光ディスクに記憶されるデータを光ピックアップで読み取り、その読み取ったデータを増幅回路で増幅後に、符号間干渉除去用フィルタで処理する光ディスク再生装置において、
前記符号間干渉除去用フィルタが、請求項１または請求項２に記載のＧｍ−Ｃフィルタであることを特徴とする光ディスク再生装置。
【発明の詳細な説明】
【０００１】
【発明の属する技術分野】
本発明は、Ｇｍ−Ｃフィルタ、およびそのＧｍ−Ｃフィルタを使用した光ディスク再生装置に関するものである。
【０００２】
【従来の技術】
ＣＤ−Ｒ、ＣＤ−ＲＷ、ＤＶＤ−Ｒ、ＤＶＤ−ＲＡＭ、ＤＶＤ−ＲＷ、ＭＯなどの記憶媒体に記憶されるデータを再生する光ディスク再生装置では、データ再生時における符号間干渉を除去するために、光ピックアップからの信号に対してブーストを持たせ、ローパスフィルタで処理する方法が採用されている。
【０００３】
すなわち、従来の光ディスク再生装置は、例えば図３に示すように、上記のような記憶媒体１に記憶されるデータを光学的に読み取る光ピックアップ２と、この光ピックアップ２の読み取った信号を増幅するプリアンプ３と、このプリアンプ３の出力の符号間干渉を除去するための符号間干渉除去用フィルタ４と、この符号間干渉除去用フィルタ４の出力を２値化する２値化回路５とを、少なくとも備えている。
【０００４】
符号間干渉除去用フィルタ４は、上記のようにＧｍ−Ｃフィルタが使用される。このＧｍ−Ｃフィルタは、Ｇｍアンプ（トランスコンダクタンス増幅器）と、複数のキャパシタからなる容量回路とからなり、ＧｍアンプのＧｍ値（トランスコンダクタンス値）と、容量回路の容量値で伝達関数が実現されるフィルタである。
【０００５】
一般に、上記のＧｍ値や容量値は、Ｇｍアンプやキャパシタの製造においてばらつきがあり、このばらつきの影響を受けやすく、また温度による変動もある。このため、求められる周波数特性を高精度で実現するためには、それらの補償をする必要がある。そこで、符号間干渉除去用フィルタ４は、図３に示すようなマスタースレーブ方式のＧｍ−Ｃフィルタを採用している。
【０００６】
すなわち、符号間干渉除去用フィルタ４は、基準となるマスターフィルタ６と、このマスターフィルタ６に従属して動作し、本来のフィルタとして機能するスレーブフィルタ７と、からなる。
マスターフィルタ６は、例えば図４に示すＧｍアンプ８と、図５に示す容量回路９を含み、基準信号（基準クロック）が入力されると、その基準信号に応じてマスターフィルタ６が所望の周波数特性となるように、Ｇｍアンプ８のＧｍ値を設定するためのＧｍ値設定電流と、容量回路９の容量値を設定するための容量値設定信号とを自動的に求めるようになっている。そして、マスターフィルタ６は、その求めたＧｍ値設定電流を自己のＧｍアンプ８に設定するとともに、その求めた容量値設定信号を自己の容量回路９に設定する。
【０００７】
スレーブフィルタ７は、マスターフィルタ６と同様に、図４に示すＧｍアンプ８と図５に示す容量回路９とを含み、マスターフィルタ６で求めたＧｍ値設定電流Ｉと容量値設定信号Ｓ１を、自己のＧｍアンプ８と容量回路９にそれぞれ設定し、マスターフィルタ６と同様の周波数特性が得られるようになっている。
ところで、マスターフィルタ６では、上記のように、基準信号に応じて容量回路９の容量値を設定するための容量値設定信号Ｓ１を求めるが、容量値を連続的に変化させるのは難しい。
【０００８】
このため、容量回路９は、図５に示すように、スイッチＳＷ１〜ＳＷｎ付きのキャパシタＣ１〜Ｃｎを並列に接続し、スイッチＳＷ１〜ＳＷｎをオンにすることにより、キャパシタＣ１〜Ｃｎを選択してその容量値を可変するようになっている。従って、容量値設定信号Ｓ１は、キャパシタＣ１〜Ｃｎを選択するスイッチＳＷ１〜ＳＷｎのオンオフを制御する制御信号からなる。
【０００９】
また、図４に示すように、Ｇｍアンプ８は、ＰＭＯＳトランジスタＱ１、Ｑ２と、ＮＭＯＳトランジスタＱ３、Ｑ４と、電流源１１とで構成されている。
このような構成からなるＧｍアンプ８のＧｍ値は、トランジスタＱ１、Ｑ２のトランジスタサイズ（Ｗ／Ｌ）と、そこに流れる電流値Ｉによって決定され、次の（１）式のように表すことができる。
【００１０】
Ｇｍ＝√４×（Ｗ／Ｌ）×Ｉ・・・・（１）
ここで、（１）式中の√４×（Ｗ／Ｌ）×Ｉは、〔４×（Ｗ／Ｌ）×Ｉ〕の平方根を表す。また、ＷはトランジスタＱ１、Ｑ２のチャネル幅、Ｌはそのチャネル長である。
このため、ＰＭＯＳトランジスタＱ１、Ｑ２に流れる電流Ｉを連続的に変化させることにより、Ｇｍアンプ８のＧｍ値を連続的に変化させることができ、Ｇｍアンプ８には上記のＧｍ値設定電流Ｉが供給される。
【００１１】
以上からわかるように、容量回路９の容量値は離散的な値となるが、Ｇｍアンプ８のＧｍ値は連続的に変化できるので、マスターフィルタ６の周波数特性は連続的に変化でき、これに応じてスレーブフィルタ７の周波数特性も連続的に変化させることができる。
ところで、図３に示すような光ディスク再生装置において、記憶媒体１が例えばＭＯの場合には、その記録フォーマットは図６に示すようになる。
【００１２】
記録フォーマットは、図６のように、アドレス部１２とデータ部１３などを含んでいる。しかし、アドレス部１２のチャネルレートは１０〔ＭＨｚ〕であり、データ部１３のチャネルレートは２０〔ＭＨｚ〕であり、そのアドレス部１２とデータ部１３のチャネルレートが１：２になっている。
このため、図３に示す符号間干渉除去用フィルタ４は、そのチャネルレートの変化に応じて周波数特性を変化させる必要がある。この周波数特性の変化は、マスターフィルタ６に供給する基準信号を変化させることにより行う。
【００１３】
しかし、マスターフィルタ６が、その基準信号の変化に対応する周波数特性に移行するまでには、通常、数１０〔μｓｅｃ〕以上の時間が必要となるので、スレーブフィルタ７の周波数特性を高速に切り換えるのが難しい。
そこで、従来、符号間干渉除去用フィルタ４の上記のような不都合を解消するために、図７に示すような符号間干渉除去用フィルタが使用されている。
【００１４】
この符号間干渉除去用フィルタ２４は、図３に示すマスタフィルタ６と同様の構成からなるマスターフィルタ６と、このマスターフィルタ６に従属して動作する２つのスレーブフィルタ７Ａ、７Ｂからなる。
また、その２つのスレーブフィルタ７Ａ、７Ｂに伴い、２値化回路５Ａ、５Ｂが設けれ、かつ、スレーブフィルタ７Ａ、７Ｂのいずれか１つを選択するための切り換えスイッチＳＷ１００、ＳＷ２００が追加されている。
【００１５】
スレーブフィルタ７Ａ、７Ｂの構成は、図３に示すスレーブフィルタ７の構成と基本的に同一である。従って、スレーブフィルタ７Ａ、７Ｂに含まれるＧｍアンプ８Ａ、８Ｂの構成は、図８および図９に示すような構成からなり、スレーブフィルタ７に含まれる図４に示すＧｍアンプ８の構成と基本的に同様である。
しかし、スレーブフィルタ７ＡのＧｍアンプ８Ａと、スレーブフィルタ７ＢのＧｍアンプ８Ｂとは、構成するトランジスタサイズ（Ｗ／Ｌ）が異なり、Ｇｍアンプ８Ａに流れる電流をＩ１、Ｇｍアンプ８Ｂに流れる電流をＩ２とすると、Ｉ２＝２×Ｉ１の関係になるように構成されている。
【００１６】
すなわち、図８に示すＧｍアンプ８Ａは、ＰＭＯＳトランジスタＱ１１、Ｑ１２と、ＮＭＯＳトランジスタＱ１３、Ｑ１４と、カレントミラー回路を構成するＰＭＯＳトランジスタＱ１５、Ｑ１６と、からなる。
また、図９に示すＧｍアンプ８Ｂは、ＰＭＯＳトランジスタＱ２１、Ｑ２２と、ＮＭＯＳトランジスタＱ２３、Ｑ２４と、カレントミラー回路を構成するＰＭＯＳトランジスタＱ２５、Ｑ２６と、からなる。
【００１７】
そして、ＭＯＳトランジスタＱ２１〜Ｑ２４のサイズは、ＭＯＳトランジスタＱ１１〜Ｑ１４のサイズの２倍であり、ＭＯＳトランジスタＱ２６のサイズはＭＯＳトランジスタＱ１６のサイズの２倍である。ただし、ＭＯＳトランジスタＱ１５とＭＯＳトランジスタＱ２５のサイズの同一とする。
このような構成からなる符号間干渉除去用フィルタ２４では、マスターフィルタ６からスレーブフィルタ７Ａ、７Ｂに供給されるＧｍ値設定電流Ｉと容量値設定信号Ｓ１とは同一である。
【００１８】
しかし、Ｇｍアンプ８ＡとＧｍアンプ８Ｂとでは、トランジスタサイズが上記のような関係にあるので、スレーブフィルタ７Ａとスレーブフィルタ７Ｂでは、周波数特性が異なる。従って、必要とする周波数特性に応じてスイッチＳＷ１００、ＳＷ２００を切り換えることにより、所望のスレーブフィルタ７Ａ、７Ｂを選択して使用することができる。
【００１９】
次に、符号間干渉除去用フィルタ４の不都合を解消するものとして、スレーブフィルタ７に含まれるＧｍアンプを、図１０に示すような回路により構成する符号間干渉除去用フィルタがある。
図１０の回路では、２つのＧｍアンプ８Ｃ、８Ｄと、カレントミラー回路４１と、スイッチＳＷ３００、ＳＷ４００とを備えている。
【００２０】
Ｇｍアンプ８Ｃは、ＰＭＯＳトランジスタＱ３１、Ｑ３２と、ＮＭＯＳトランジスタＱ３３、Ｑ３４とからなる。Ｇｍアンプ８Ｄは、ＰＭＯＳトランジスタＱ３１、Ｑ３２と同一サイズのＰＭＯＳトランジスタＱ４１、Ｑ４２と、ＮＭＯＳトランジスタＱ３３、Ｑ３４と同一サイズのＮＭＯＳトランジスタＱ４３、Ｑ４４とからなる。
【００２１】
カレントミラー回路４１は、同一のトランズジスタサイズからなる、ＰＭＯＳトランジスタＱ５１、Ｑ５２、Ｑ５３からなり、Ｇｍ値設定電流Ｉが供給されると、これと同一の電流をＧｍアンプ８Ｃ、８Ｄを供給するようになっている。
スイッチＳＷ３００、ＳＷ４００は、周波数特性を切り換える切り換え信号により切り換えて使用し、Ｇｍアンプ８Ｃの出力を選択的に取り出すためのものである。
このような構成からなる図１０の回路では、スイッチＳＷ３００、ＳＷ４００のオン時とオフ時では、出力ノードからみえるＧｍ値が異なるので、スレーブフィルタの周波数特性を可変できる。
【００２２】
【発明が解決しようとする課題】
ところが、図３に示す符号間干渉除去用フィルタ４では、周波数特性を高速に切り換えることができないという不都合がある。
また、図７に示すような符号間干渉除去用フィルタ２４では、２つのスレーブフィルタ７Ａ、７Ｂを有し、図１０に示すような回路をスレーブフィルタに含む符号間干渉除去用フィルタでは、２つのＧｍアンプ８Ｃ、８Ｄを有している。このため、集積回路化した場合にレイアウト面積が大きくなる上に、消費電流が大きくなるという不都合がある。
【００２３】
さらに、符号間干渉除去用フィルタ２４では、その出力にはオフセットが存在するが、２つのスレーブフィルタ７Ａ、７Ｂのために、スイッチＳＷ１００、ＳＷ２００を切り換えの際に、その出力信号のオフセットが変動するという不具合がある。
さらにまた、図１０に示すような回路をスレーブフィルタに含む符号間干渉除去用フィルタでは、スイッチＳＷ３００、ＳＷ４００の切り換えにより、出力側から見えるトランジスタの個数が増減するため、その切り換えの際に、その出力信号のオフセットが変動するという不具合がある。
【００２４】
そこで、本発明の第１の目的は、上記の点に鑑み、周波数特性を高速で切り換えることができ、その周波数特性の切り換え時に出力のオフセット変動がなく、かつ、集積回路化した場合にレイアウト面積および消費電流を低減化できるＧｍ−Ｃフィルタを提供することにある。
本発明の第２の目的は、そのＧｍ−Ｃフィルタを符号間干渉除去用フィルタとして使用するようにし、周波数特性を高速で切り換えることができる符号間干渉除去用フィルタを備えた光ディスク再生装置を提供することにある。
【００２５】
【課題を解決するための手段】
上記課題を解決して本発明の第１の目的を達成するために、請求項１および請求項２に記載の発明は、以下のように構成した。
すなわち、請求項１に記載の発明は、第１のＧｍアンプと、第１の容量回路とを有するとともに、入力される基準信号に応じて所望の周波数特性を持つように前記第１のＧｍアンプに設定すべきＧｍ値と前記第１の容量回路に設定すべき容量値とをそれぞれ求めるマスターフィルタと、前記第１のＧｍアンプと同様の第２のＧｍアンプと、前記第１の容量回路と同様の第２の容量回路とを有し、本来のフィルタとして機能するスレーブフィルタと、前記マスターフィルタで求めた容量値に基づき、前記第２の容量回路に設定すべきの所定の容量値を求めるデコーダ回路とを備え、前記第２のＧｍアンプは、前記マスターフィルタで求めたＧｍ値となるように構成され、前記第２の容量回路は、前記デコーダ回路で求めた所定の容量値になるように構成されていることを特徴とするものである。
【００２６】
請求項２に記載の発明は、請求項１に記載のＧｍ−Ｃフィルタにおいて、前記デコーダ回路は、前記マスターフィルタで求めた容量値に基づいて所定の容量値を求める際に、前記マスターフィルタの遮断周波数と前記スレーブフィルタの遮断周波数とが任意の比になるような容量値を求めるようにしたことを特徴とするものである。
【００２７】
このような構成からなる本発明のＧｍ−Ｃフィルタによれば、周波数特性を高速で切り換えることができ、その周波数特性の切り換え時に出力のオフセット変動がなく、かつ、集積回路化した場合にレイアウト面積および消費電流を低減化できる。
また、本発明の第２の目的を達成するために、請求項３の発明は、以下のように構成した。
【００２８】
すなわち、請求項３に記載の発明は、光ディスクに記憶されるデータを光ピックアップで読み取り、その読み取ったデータを増幅回路で増幅後に、符号間干渉除去用フィルタで処理する光ディスク再生装置において、
前記符号間干渉除去用フィルタが、請求項１または請求項２に記載のＧｍ−Ｃフィルタであることを特徴とするものである。
このような構成からなる本発明の光ディスク再生装置によれば、符号間干渉除去用フィルタは、周波数特性を高速で切り換えることができる。
【００２９】
【発明の実施の形態】
以下、本発明のＧｍ−Ｃフィルタの実施形態について、図１を参照して説明する。
この実施形態に係るＧｍ−Ｃフィルタは、図１に示すように、基準となるマスターフィルタ５１と、本来のフィルタとして機能するスレーブフィルタ５２と、デコーダ回路５３と、を備えている。
【００３０】
マスターフィルタ５１は、例えば図４に示すＧｍアンプ８と、図５に示す容量回路９を含み、基準信号（基準クロック）が入力されると、その基準信号に応じてマスターフィルタ５１が所望の周波数特性となるように、自己のＧｍアンプ８のＧｍ値を設定するためのＧｍ値設定電流と、自己の容量回路９の容量値を設定するための容量値設定信号とを自動的に求めるようになっている。そして、マスターフィルタ５１は、その求めたＧｍ値設定電流を自己のＧｍアンプ８に設定するとともに、その求めた容量値設定信号を自己の容量回路９に設定するようになっている。
【００３１】
スレーブフィルタ５２は、マスターフィルタ５１と同様に、図４に示すＧｍアンプ８と図５に示す容量回路９とを含んでいる。また、スレーブフィルタ５２は、マスターフィルタ５１で求められたＧｍ値設定電流Ｉを自己のＧｍアンプ８に設定するとともに、マスターフィルタ５１で求められた容量値設定信号Ｓ１に基づいてデコーダ回路５３で算出した容量値設定信号Ｓ２を自己の容量回路９に設定し、所望の周波数特性が得られるようになっている。
【００３２】
デコーダ回路５３は、マスターフィルタ５１で求められた容量値設定信号Ｓ１に基づき、スレーブフィルタ５２の容量回路９の容量値を設定するための所定の容量値設定信号Ｓ２を算出し、その算出した容量値設定信号Ｓ２をその容量回路９に供給するようになっている。
また、デコーダ回路５３は、スレーブフィルタ５２の遮断周波数を切り換えてその周波数特性を切り換えるための切り換え信号により、その動作が制御されるようになっている。例えば、その切り換え信号が「Ｈ」レベルのときには、容量値設定信号Ｓ１に基づいて容量値設定信号Ｓ２を算出して出力し、その切り換え信号が「Ｌ」レベルのときには、容量値設定信号Ｓ１をそのまま容量値設定信号Ｓ２として出力するようになっている。
【００３３】
さらに、デコーダ回路５３は、容量値設定信号Ｓ１に基づいて所定の容量値設定信号Ｓ２を算出する際に、例えばマスターフィルタ５１の遮断周波数とスレーブフィルタ５２の遮断周波数とが任意の比になるように、その容量値設定信号Ｓ２を算出するようにするのが好ましい。
次に、このような構成からなる実施形態に係るＧｍ−Ｃフィルタの動作例について説明する。
【００３４】
この例では、Ｇｍ−Ｃフィルタの遮断周波数をｆｃ１、ｆｃ２とし、これを高速に切り換えるとともに、その遮断周波数ｆｃ１、ｆｃ２が、ｆｃ２＝２×ｆｃ１の関係になるような場合の動作について説明する。
まず、Ｇｍ−Ｃフィルタの遮断周波数が、ｆｃ２である場合について説明する。
【００３５】
この場合には、マスターフィルタ５１は、遮断周波数がｆｃ２となるようにロックさせる。この時には、マスターフィルタ５１は、その遮断周波数ｆｃ２となるように、自己のＧｍアンプ８に設定すべきＧｍ値設定電流と、自己の容量回路９に設定すべき容量値設定信号とを求める。そして、マスターフィルタ５１は、その求めたＧｍ値設定電流を自己のＧｍアンプ８に設定するとともに、その求めた容量値設定信号を自己の容量回路９に設定する。
【００３６】
また、デコーダ回路５３は、マスターフィルタ５１で求められた容量値設定信号Ｓ１を、容量値設定信号Ｓ２としてスレーブフィルタ５２の容量回路９に出力する。これにより、その容量値設定信号Ｓ１に応じて容量回路９のスイッチＳＷ１〜ＳＷｎが閉じて、キャパシタＣ１〜Ｃｎが設定される。この時には、スレーブフィルタ５２は、マスターフィルタ５１で求められたＧｍ値設定電流Ｉを、自己のＧｍアンプ８に設定する。
【００３７】
従って、スレーブフィルタ５２の遮断周波数は、マスターフィルタ５１の遮断周波数ｆｃ２と同一となる。
次に、Ｇｍ−Ｃフィルタの遮断周波数が、ｆｃ１である場合について説明する。
この場合には、マスターフィルタ５１の動作は、上述の動作のまま、すなわちロックされた状態とする。
【００３８】
しかし、このときには、デコーダ回路５３の切り換え信号が「Ｌ」レベルから「Ｈ」レベルに切り換えられる。これにより、デコーダ回路５３は、マスターフィルタ５１で求められた容量値設定信号Ｓ１に基づき、スレーブフィルタ５２の容量回路９の容量値が、現在の設定値の２倍となるような容量値設定信号Ｓ２を算出する。その算出された容量値設定信号Ｓ２は、その容量回路９に設定されるこれにより、その容量値設定信号Ｓ２に応じて容量回路９のスイッチＳＷ１〜ＳＷｎが開閉され、新たにキャパシタＣ１〜Ｃｎが設定され、そのキャパシタＣ１〜Ｃｎの容量値は２倍となる。
【００３９】
この結果、スレーブフィルタ５２の遮断周波数はｆｃ１となり、この遮断周波数ｆｃ１は、マスターフィルタ５１の遮断周波数ｆｃ２の１／２倍となる。
以上説明したように、実施形態に係るＧｍ−Ｃフィルタによれば、周波数特性を高速に切り換えることができる。
また、この実施形態によれば、複数のＧｍアンプを設けて切り換える必要がないので、集積回路化した場合に、レイアウト面積および消費電流を低減化することができる。
【００４０】
さらに、この実施形態によれば、周波数特性の切り換え時に、出力から見えるトランジスタのサイズが増減しないので、出力オフセットが変動しない。
また、この実施形態では、ｎ個の周波数特性からなるようにするには、デコーダ回路を追加するだけで良く、フィルタの本体の構成を追加、変更する必要がない。一般に、デコーダ回路はフィルタの部分よりも回路規模が小さく、その追加に伴うレイアウト面積の増加分は小さい。
【００４１】
さらに、この実施形態では、容量回路の容量を変化させることにより周波数特性を変化させるようにしたが、一般に、キャパシタの容量の相対精度は良いので、上記のように任意の遮断周波数の比を実現するのに好ましい。
次に、本発明の光ディスク再生装置の実施形態について、図２を参照して説明する。
【００４２】
この光ディスク再生装置に係る実施形態は、図２に示すように、図３に示す光ディスク装置の符号間干渉除去用フィルタ４を、図１に示すＧｍ−Ｃフィルタからなる符号間干渉除去用フィルタ５４に置き換えたものである。
すなわち、この実施形態は、図２に示すように、記憶媒体１に記憶されるデータを光学的に読み取る光ピックアップ２と、この光ピックアップ２の読み取った信号を増幅するプリアンプ３と、このプリアンプ３の出力の符号間干渉を除去する符号間干渉除去用フィルタ５４と、この符号間干渉除去用フィルタ５４の出力を２値化する２値化回路５とを、少なくとも備えている。
【００４３】
符号間干渉除去用フィルタ５４は、マスターフィルタ５１と、スレーブフィルタ５２と、デコーダ回路５３とからなり、その具体的な構成は図１に示すＧｍ−Ｃフィルタと同様であるので、その詳細は省略する。
次に、このような構成からなる光ディスク再生装置に係る実施形態の動作について説明する。
【００４４】
例えば、記憶媒体１がＭＯであって、その記録フォーマットが図６に示すような場合には、アドレス部１２に記憶されるデータを再生する場合と、データ部１３に記憶されるデータを再生する場合とではチャネルレートが異なるので、符号間干渉除去用フィルタ５４の周波数特性を切り換える必要がある。
しかし、符号間干渉除去用フィルタ５４では、その周波数特性の切り換えが高速にでき、かつ、その切り換え時に出力オフセットは発生しない。
以上説明したように、この光ディスク再生装置に係る実施形態によれば、符号間干渉除去用フィルタ５４は、その周波数特性の切り換えが高速にでき、かつ、その切り換え時に出力オフセットが発生しない。
【００４５】
【発明の効果】
以上説明したように、本発明のＧｍ−Ｃフィルタによれば、周波数特性を高速で切り換えることができ、その周波数特性の切り換え時に出力のオフセット変動がなく、かつ、集積回路化した場合にレイアウト面積および消費電流を低減化できる。
また、本発明の光ディスク再生装置によれば、符号間干渉除去用フィルタは、周波数特性を高速で切り換えることができる。
【図面の簡単な説明】
【図１】本発明のＧｍ−Ｃフィルタの実施形態の構成を示すブロック図である。
【図２】本発明の光ディスク再生装置の実施形態の構成を示すブロック図である。
【図３】従来の光ディスク再生装置のブロック図である。
【図４】図３のマスターフィルタおよびスレーブフィルタを構成するＧｍアンプの一例を示す回路図である。
【図５】図３のマスターフィルタおよびスレーブフィルタを構成する容量回路の一例を示す回路図である。
【図６】ＭＯの記録フォーマットの一例を示す概略図である。
【図７】従来の他の符号間干渉除去用フィルタのブロック図である。
【図８】図７のスレーブフィルタ７Ａを構成するＧｍアンプの回路図である。
【図９】図７のスレーブフィルタ７Ｂを構成するＧｍアンプの回路図である。
【図１０】従来の他の符号間干渉除去用フィルタのスレーブフィルタに係り、そのスレーブフィルタを構成するＧｍアンプの回路図である。
【符号の簡単な説明】
１　記憶媒体
２　光ピックアップ
３　プリアンプ
５　２値化回路
８　Ｇｍアンプ
９　容量回路
５１　マスターフィルタ
５２　スレーブフィルタ
５３　デコーダ回路
【図１】
2004104243.tif 000003
【図２】
2004104243.tif 000004
【図３】
2004104243.tif 000005
【図４】
2004104243.tif 000006
【図５】
2004104243.tif 000007
【図６】
2004104243.tif 000008
【図７】
2004104243.tif 000009
【図８】
2004104243.tif 000010
【図９】
2004104243.tif 000011
【図１０】
2004104243.tif 000012